(57)【要約】【課題】  ばね部材の一端を板金であるカバー部材に掛け、他端をイジェクト機構の操作部材であるスライダ部材に掛止して、このばね部材のばね力をカバー部材の突起によって受けるようにしてコネクタ本体のモールド部に何等負荷が掛かることが無く、リフロー時にコネクタ本体の変形が発生することがない。【解決手段】  コネクタ本体と、このコネクタ本体に組合せられるカバー部材と、前記コネクタ本体に配設されたイジェクト機構とから構成されたカードコネクタにおいて、前記イジェクト機構は、押出部材と、この押出部材を弾性附勢する引張りばね部材とを備えている。【選択図】  図３
2005197229.tif 000002
【特許請求の範囲】
【請求項１】
コネクタ本体と、
このコネクタ本体に組合せられるカバー部材と、
前記コネクタ本体に配設されたイジェクト機構とから構成されたカードコネクタにおいて、
前記イジェクト機構は、押出部材と、この押出部材を弾性附勢する引張りばねとを備えたことを特徴とするカードコネクタ。
【請求項２】
前記引張ばねは、一端が前記カバー部材に係止され、他端が前記押出部材の少なくとも一部に係止されていることを特徴とする請求項１記載のカードコネクタ。
【請求項３】
前記カバー部材には、折曲された掛止部が配設され、
前記イジェクト機構には、前記押出部材と一体成形されたスライダ部材が配設され、このスライダ部材は前記カバー部材の突起部に当接され、
且つ、前記引張りばねの一端が前記掛止部に掛け止され、前記引張りばねの他端が前記スライダ部材の係止部に係止されることにより、前記スライダ部材は前記カバー部材の突起部に当接されることを特徴とする請求項２記載のカードコネクタ。
【請求項４】
コネクタ本体と、
このコネクタ本体に組合せられるカバー部材と、
前記コネクタ本体に配設されたイジェクト機構とから構成されたカードコネクタにおいて、
前記イジェクト機構は、押出部材と、この押出部材を弾性附勢する圧縮ばねとを備え、この圧縮ばねの一端が前記カバー部材に係止され、前記押出部材が突起部に当接されることを特徴とするカードコネクタ。
【発明の詳細な説明】
【技術分野】
【０００１】
本発明は、携帯電話機、電話機、ＰＤＡ（personal  digital  assistance）、携帯型オーディオ、カメラ等や情報端末機器等の電子機器のカードコネクタに係わり、特に、カードを円滑に挿入、抜き出しできるカードコネクタに関するものである。
【背景技術】
【０００２】
近年、携帯電話機、電話機、ＰＤＡ（personal  digital  assistance）、携帯型オーディオ、カメラや、情報端末機器等の電子機器においては、ＣＰＵやメモリ用のＩＣチップと呼ばれるＩＣ部品が組込まれたＩＣカードやＰＣカード、ＳＤカード、ＳＩＭカードの利用がふえている。このために、産業界においては、ＩＣカードやＰＣカード、ＳＤカードやＳＩＭカード等の小型のメモリカードを挿入するカードコネクタが広く求められている。
【０００３】
従来のこのようなカードコネクタに対しては、高さを低くして低背化と小型化を図り、かつカードの挿入と、抜き出しに必要な十分な強度を確保したカードコネクタを市場は要求している。さらに、ユーザからの要望としては挿入されたカードを容易に放出することができること等が求められている。このような要望を満足させるために、従来のカードコネクタにおいては上面にカバー部材を配し、このカバー部材を絶縁材料のコネクタ本体に対して組込み、その基本構成とし、カードを容易に放出するためにカードイジェクト機構がコネクタ本体側に設けられている。
【０００４】
図６には、このような従来におけるカードコネクタの一例が示されており、カバー部材を取外して、イジェクト機構と複数個のコンタクトとが設けられたコネクタ本体が示されている。
【０００５】
図示のように、従来におけるカードコネクタ１００は、コネクタ本体１０２と、このコネクタ本体１０２に組合せられて中空のハウジング構造を形成するカバー部材１０３と、カードを放出するためのイジェクト機構１０４と、挿入されるカードと電気的に接続する複数個のコンタクト１０５とから構成されている。
【０００６】
このコネクタ本体１０２は、適宜に選択された合成樹脂材料などの絶縁材料を用いて加工成形されている。カードコネクタ１００は、コネクタ本体１０２と、金属板材料のカバー部材１０３とを組合せ、中空の偏平なハウジング形状を構成し、カードが挿入される構造となっている。また、カードコネクタ１００には、この絶縁材料製のコネクタ本体１０２の一側に沿ってイジェクト機構１０４が設けられている。イジェクト機構１０４がかかる構成をとることにより、カードをカードコネクタ１００からスムーズに取り出しできる。また、カードコネクタ１００には、カードコネクタ１００に挿入されたカードの先端部に配列されたパッド部と接続されるように、複数個のコンタクト１０５が設けられている。
【０００７】
このカードコネクタ１００におけるイジェクト機構１０４は、例えば、コネクタ本体１０２の一方の側の縁辺に沿って滑動可能に装着されたスライダとしての操作部材１０６と、この操作部材１０６を弾性附勢するコイルスプリングのようなばね部材１０７と、操作部材１０６と一体に形成されてカードをカードコネクタ１００の外方に放出するように押出すための押出部材１０８とを備えている。このばね部材１０７により、押圧する力を付与する弾性力によって操作部材１０６を滑動させ押出部材１０８を介してカードを外方に押出すことができる。また、押出部材１０８は、操作部材１０６の作動方向に対してほぼ直角な方向に延出している。このため押圧部材１０８は、カードの先端部に当接しつつ操作部材１０６を介して作動できるようになっている。
【０００８】
【特許文献１】特開２００２−１３４２２４号公報
【発明の開示】
【発明が解決しようとする課題】
【０００９】
しかしながら、このカードコネクタ１００において、ＩＣカード、ＰＣカード、ＳＤカード、またはＳＩＭカード等のカードを挿入して用いる場合には、押出部材１０８と一体的に設けられた操作部材１０６によってコイルスプリングのような圧縮ばねとしてのばね部材１０７を圧縮して、このばね部材１０７のばね力をカード放出時に利用してカードを押出す。このために、ばね部材１０７の一方の端部はコネクタ本体１０２に止め金具１０９を介して係止され、他方の端部は操作部材１０６と一体の掛止部１１０に係止されている。
【００１０】
したがって、このようなカードコネクタ１００をリフローした際には、カードコネクタ１００自体に捩じれが生じる危険がみられた。この理由について発明者が実験にて確認したところ、ばね部材１０７の一端部は止め金具１０９を介して係止されている絶縁材料製のコネクタ本体１０２部分と、操作部材１０６に一体化して配設された掛止部１１０と、にそれぞれ係止されているために、ばね部材１０７のばね力により、コネクタ本体１０２におけるこれら係止部分であるモールド部がリフロー熱によって軟化して変形が発生し、このためにカードコネクタ１００自体に捩じれが生じる場合があった。
【００１１】
したがって、本発明の目的は、このような従来における問題点を解決するために、ばね部材の一端を板金であるカバー部材に掛け、他端をイジェクト機構の操作部材であるスライダ部材に掛止して、このばね部材のばね力をカバー部材の突起によって受けるようにしてコネクタ本体のモールド部に何等負荷が掛かることが無く、リフロー時にコネクタ本体の変形が発生することのないように構成されたカードコネクタを提供することにある。
【課題を解決するための手段】
【００１２】
上述の目的を達成するために、本発明のカードコネクタは、コネクタ本体と、このコネクタ本体に組合せられるカバー部材と、前記コネクタ本体に配設されたイジェクト機構とから構成されたカードコネクタにおいて、前記イジェクト機構は、押出部材と、この押出部材を弾性附勢する引張りばねとを備えたことを特徴とする。
【００１３】
また、本発明のカードコネクタは、前記引張ばねが、一端が前記カバー部材に係止され、他端が前記押出部材の少なくとも一部に係止されていることを特徴とする。
【００１４】
さらに、本発明のカードコネクタは、前記カバー部材には、折曲された掛止部が配設され、前記イジェクト機構には、前記押出部材と一体成形されたスライダ部材が配設され、このスライダ部材は前記カバー部材の突起部に当接され、且つ、前記引張りばねの一端が前記掛止部に掛け止され、前記引張りばねの他端が前記スライダ部材の係止部に係止されることにより、前記スライダ部材は前記カバー部材の突起部に当接されることを特徴とする。
【００１５】
さらにまた、本発明のカードコネクタは、コネクタ本体と、このコネクタ本体に組合せられるカバー部材と、前記コネクタ本体に配設されたイジェクト機構とから構成されたカードコネクタにおいて、前記イジェクト機構は、押出部材と、この押出部材を弾性附勢する圧縮ばねとを備え、この圧縮ばねの一端が前記カバー部材に係止され、前記押出部材が突起部に当接されることを特徴とする。
【発明の効果】
【００１６】
本発明のカードコネクタは、引張ばねのばね力を好適に利用するために、リフロー熱によるコネクタ本体の変形または捩じれの発生の恐れが全く無く、コネクタ本体のモールド部等に負荷が掛かることが無い。
【００１７】
さらに、本発明のカードコネクタは、イジェクト機構のばね部材が引張ばねであるために、ばね部材の引張力を利用してイジェクト機構によってカードを円滑に放出することができる効果もある。
【００１８】
本発明のカードコネクタは、さらに、引張ばねが、一端がカバー部材に係止され、他端が押出部材の一部に係止されているので、コネクタ本体がリフロー熱によって何ら変形されることが無く、捩じれの発生の心配もない。
【００１９】
本発明のカードコネクタは、カバー部材には、折曲された掛止部が配設され、イジェクト機構には、押出部材と一体成形されたスライダ部材が配設され、このスライダ部材がカバー部材の突起部に当接され、且つ、引張りばねの一端が掛止部に掛け止され、引張りばねの他端がスライダ部材の係止部に係止されることにより、スライダ部材がカバー部材の突起部に当接されているので、ばね部材の引張力がカバー部材に作用して、コネクタ部材のモールド部に負荷がかかることが無く、リフロー時に変形が発生することが無い。
【００２０】
本発明のカードコネクタは、イジェクト機構のばね部材が圧縮ばねであるので、カードの放出時に、ばね部材によってスライダ部材が押されて滑動され、押出部材を介してカードが押されることによってカードが好適に放出されるようになる。
【発明を実施するための最良の形態】
【００２１】
本発明のその他の目的や特徴および利点は、添付図面に示される本発明の実施形態についての以下の詳細な説明から明らかである。
【実施例１】
【００２２】
図１乃至図４は、本発明のカードコネクタの実施例１を示す図で、図１は、本発明の実施例１におけるカードコネクタを示す全体の斜視図で、図２は、図１の本発明のカードコネクタにおけるイジェクト機構をカバー部材を取外して示す斜視図、図３は、図１の本発明のカードコネクタにおけるイジェクト機構をカバー部材を反転して示す斜視図で、図４は、図１の本発明のカードコネクタのイジェクト機構のばね部材を示す平面部分図である。
【００２３】
図１乃至図４に示されるように、実施例１のカードコネクタ１は、コネクタ本体２と、このコネクタ本体２に組合せられるカバー部材３とから偏平なハウジング形状に構成されている。カードコネクタ１は、一方の側は開放されていてカード挿入口６が形成され、他方の側は端壁１５によって閉鎖されている。この端壁１５を貫いてカードと電気的な接続をなす複数個のコンタクト５がコネクタ本体２に整列して設けられている。
【００２４】
なお、本実施例において、カードコネクタ１に用いられるカードは、例えばＳＤカードを例示した。しかしながら、本発明は何等このようなＳＤカードだけの使用にのみ制限されるものではなく、ＳＤカードの外にも、ＩＣカードやＳＩＭカード等の他の同様なメモリカードでも良好に適用でき、効果は同等であることが確認された。
【００２５】
カードコネクタ１は、コネクタ本体２と、カバー部材３と、カードを放出するイジェクト機構４と、複数個のコンタクト５とから構成されている。このカードコネクタ１は、例えば情報端末機器等に適用する。
【００２６】
コネクタ本体２は、合成樹脂材料などの絶縁材料を用い成形して作成されている。このコネクタ本体２に金属板材料、例えば板金のカバー部材３を組み合せて中空の偏平なハウジング形状とし、そのカードコネクタ１の外形としている。なお、このハウジング形状の一方の側を開口し、カードが挿入されることができる。また、コネクタ本体２の側壁１１、１２の一方の側壁、すなわち側壁１２に沿ってイジェクト機構４が設けられている。この構成をとることによりカードをカードコネクタ１からスムーズに取り出しできる。
【００２７】
このイジェクト機構４では、例えば、コネクタ本体２の一方の側壁１２に沿って内側に形成された収容室１４内を滑動可能に装着された操作部材、すなわちスライダ部材８と、このスライダ部材８によって弾性附勢されるコイルスプリングなどからなるばね部材９とを有している。また、イジェクト機構４は、ばね部材９の蓄勢された弾性力によって、スライダ部材８と一体の押出部材７によりカードを外方に放出するように構成されている。かかる構成により、イジェクト機構４では、カードを放出するための押出部材７がスライダ部材８に一体的に設けられているため、引張ばねであるばね部材９によって押出部材７が弾性的に引張られる構造となっている。この実施例では、このばね部材９は、一端が板金で作られたカバー部材３に折り曲げて形成された掛止部１６に掛け止めされ、他端がスライダ部材８の係止部１７に係止されている。イジェクト機構４では、カバー部材３に形成された突起部１９に、このスライダ部材８が当接することによって停止されるように構成されることにより、突起部１９がストッパーとして作用する。このためにイジェクト機構４では、引張ばねであるばね部材９が収縮されるように構成されている。
【００２８】
この押出部材７は、スライダ部材８の作動方向であるスライド方向に対してほぼ直角な方向に延出している。このイジェクト機構４では、押出部材７とスライダ部材８との連結角部にカードの切欠き部が係合する受け部１８が設けられているため、カードの先端部が当接した際に、カードと良好に接触、係合し、カードの挿入に伴い押出部材７を介してスライダ部材８を押し込むことができる。逆に、イジェクト機構４では、スライダ部材８を用いることにより押出部材７を介してカードを円滑に外方に放出することができる。
【００２９】
また、カードの一端には面取り等によって切欠かれて切欠き部が設けられており、この切欠き部は押出部材７と押出部材８との連結角部の受け部１８に係合する。したがって、この受け部１８が、カードを誤って裏返して挿入されるのを防止する誤操作防止手段としても作用する。
【００３０】
上述のカードコネクタ１では、ばね部材９の一端が板金で作られたカバー部材３の突起である掛止部１６に掛け止めされ、他端がスライダ部材８の係止部１７に係合されている。このためカードコネクタ１では、このスライダ部材８がカバー部材３に形成された突起部１９に当接し、停止される構造となっている。したがって、カードコネクタ１がリフローされた際に、リフロー熱によってコネクタ本体２が捩られるという従来見られた現象が無く、何等変形が発生することがないことを本発明者は確認した。また、本発明によれば、カードコネクタ１自体を偏平で薄形に製作することができて低背化することが可能であり、携帯電話機のような情報端末機器等に好適に使用することが可能である。
【実施例２】
【００３１】
図５は、本発明のカードコネクタの実施例２を示す図で、本発明のカードコネクタのイジェクト機構をカバー部材を反転して示す斜視図である。
【００３２】
図５に示される実施例２においては、イジェクト機構２４のばね部材２９が圧縮ばねとして設けられていることが、先の実施例１のものと異なっており、他の基本的な構成は実施例１におけるものと同じであるので、ここでは同一部分についての詳細な説明は省略するものとする。
【００３３】
図示されるように、実施例２におけるカードコネクタ２０は、圧縮ばねからなるばね部材２９を有するイジェクト機構２４が設けられている。このイジェクト機構２４のばね部材２９は、イジェクト機構２４の操作部材であるスライダ部材２８とカバー部材２３の後方側の端壁２６との間に配置されており、カバー部材２３の端壁２６に対して操作部材としてのスライダ部材２８によってばね部材２９が圧縮されるように構成されている。また、操作部材としてのスライダ部材２８は、カードを放出するための押出部材２７と一体的に形成されている。したがって、イジェクト機構２４では、カードが挿入される時に、押出部材２７を介してスライダ部材２８によってばね部材２９が押されて圧縮される。したがって、圧縮ばねであるばね部材２９が、カバー部材２３の後方側の端壁２６とスライダ部材２８の後部との間にて圧縮され、カードを放出する時には、ばね部材２９からの押圧するばね力によってスライダ部材２８が押される。この押されたスライダ部材２８によって押出部材２７を介してカードが外方に向って押し出されて放出されることになる。
【００３４】
また、カバー部材２３には、起立された突起部３０が設けられている。この突起部３０は、スライダ部材２８の滑動を停止するストッパーとしての止めを形成しており、圧縮ばねであるばね部材２９によって押されるスライダ部材２８が係合されて停止されるストパーとして作用して、スライダ部材２８の動きを止めるようになっている。したがって、カードの放出時には、ばね部材２９によってスライダ部材２８が滑動されて、押出部材２７によってカードが押されて放出される。その際、突起部３０にはスライダ部材２８が当接することによってスライダ部材２８の滑動が停止される。したがって、イジェクト機構２４では、カードコネクタ２０がリフローされた時に、リフロー熱によってコネクタ本体が捩られるようなことが無く、これによって何等変形が発生することがない。また、本発明の実施例２のカードコネクタ２０によれば、カードコネクタ２０自体を偏平で薄形に製作することができて低背化することが可能であり、携帯電話機のような情報端末機器等に好適に使用することが可能である。
【００３５】
また、本実施例のカードコネクタ２０に用いられているカードは、実施例１と同様に、例えばＳＤカードを使用できるように適用されているが、本実施例は何等このようなＳＤカードだけの使用にのみ制限されるものではなく、ＳＤカードの外にも、ＩＣカード等の他の同様なメモリカードでも良好に適用できることは勿論である。
【００３６】
さらに、本実施例２のカードコネクタ２０は、コネクタ本体と、カバー部材２３と、カードを放出するイジェクト機構２４と、複数個のコンタクトとを有しており、例えば情報端末機器等に適用するように構成されている。
【００３７】
このような本実施例２のカードコネクタ２０において、コネクタ本体は、同様に適宜な合成樹脂材料などの絶縁材料によって成形して作られ、金属板材料のカバー部材２３と組合せられて中空の偏平なハウジング形状に形成されており、カードが挿入されるように作られている。また、このような絶縁材料製のコネクタ本体の一方の側壁に沿ってイジェクト機構２４が配設されている。したがって、イジェクト機構２４では、カードをカードコネクタ２０からスムーズに取り出しできるようになる。
【００３８】
このようなイジェクト機構２４は、例えば、コネクタ本体とカバー部材２３との間に形成された室の一方の側の縁辺に沿って滑動可能に装着された操作部材としてのスライダ部材２８と、このスライダ部材２８を弾性附勢するコイルスプリングのようなばね部材２９とから構成されている。このスライダ部材２８は、ばね部材２９の蓄勢された弾性力によって押圧され、カードを押出すように構成されている。すなわち、イジェクト機構２４では、カードを放出するための押出部材２７がスライダ部材２８と一体的に設けられていて、このスライダ部材２８の滑動を抑制するようにストッパーとしての突起部３０がカバー部材２３に起立して設けられている。
【００３９】
また、カードの誤操作防止手段として、カードの一端が切欠かれて切欠き部が設けられており、カードを誤って裏返して挿入されるのを防止するように構成されている。
【００４０】
さらにまた、実施例２においては、カードコネクタ２０自体を小型に、かつ強固な構成に製作することができて、携帯電話機のような情報端末機器等に好適に使用することが可能であり、特に、カバー部材２３に突起部３０を設けてスライダ部材２８の滑動を抑制するようにカバー部材２３の端壁２６とスライダ部材２８の間に圧縮ばねであるばね部材２９が設けられているので、ばね部材２９のばね力を好適に利用でき、リフロー時に、リフロー熱によるコネクタ本体の変形または捩じれ等の発生の恐れが全く無く、コネクタ本体のモールド部等に何等負荷が掛かるようなことが無い。
【産業上の利用可能性】
【００４１】
本発明のカードコネクタは、携帯電話機、電話機、ＰＤＡ（personal  digital  assistance）、携帯型オーディオ、カメラ等や情報端末機器等の電子機器に利用できるものである。
【図面の簡単な説明】
【００４２】
【図１】本発明の実施例１におけるカードコネクタを示す全体の斜視図である。
【図２】図１の本発明のカードコネクタにおけるイジェクト機構を、カバー部材を取外して示す斜視図である。
【図３】図１の本発明のカードコネクタにおけるイジェクト機構を、カバー部材を反転して示す斜視図である。
【図４】図１の本発明のカードコネクタのイジェクト機構のばね部材を示す平面部分図である。
【図５】本発明の実施例２におけるカードコネクタのイジェクト機構を、カバー部材を反転して示す斜視図である。
【図６】従来におけるカードコネクタを、カバー部材を取外して示す斜視図である。
【符号の説明】
【００４３】
１      カードコネクタ
２      コネクタ本体
３      カバー部材
４      イジェクト機構
５      コンタクト
６      カード挿入口
７      押出部材
８      スライダ部材
９      ばね部材
１１    側壁
１２    側壁
１４    収容室
１５    端壁
１６    掛止部
１７    係止部
１８    受け部
１９    突起部
２０    カードコネクタ
２３    カバー部材
２４    イジェクト機構
２６    端壁
２７    押出部材
２８    スライダ部材
２９    ばね部材
３０    突起部
【図１】
2005197229.tif 000003
【図２】
2005197229.tif 000004
【図３】
2005197229.tif 000005
【図４】
2005197229.tif 000006
【図５】
2005197229.tif 000007
【図６】
2005197229.tif 000008